(57)【要約】【課題】スタンバイモードでの省電力を可能にしながら、通常モードとスタンバイモードとの間の遠隔起動を可能にする給電装置を提供する。【解決手段】本発明による給電装置は、通常モードでは高電圧レベルにより、スタンバイモードでは低電圧レベルにより供給電圧を提供可能な供給モジュールから供給電圧を受け取る受付手段と、装置の機能を起動し、通常モードでは動作状態に、スタンバイモードでは非動作状態になるよう構成される起動手段と、スタンバイモードから通常モードに供給電圧を切り替え可能なスイッチング手段と、供給モジュールと通信する通信手段とから構成される。当該通信手段は電流の変位を介しスタンバイモードから通常モードへの供給電圧の切り替えを制御することが可能である。【選択図】図１
2006134325.tif 000002
【特許請求の範囲】
【請求項１】
供給電力を受け取り、通常モードでは高電圧レベルにより、スタンバイモードでは少なくとも１つの低電圧レベルにより供給電圧を提供可能な供給モジュールから、前記供給電圧を受け取る受付手段と、
当該装置の少なくとも１つの機能を起動し、前記通常モードでは動作状態に、前記スタンバイモードでは非動作状態になるよう構成される起動手段と、
少なくとも前記スタンバイモードから前記通常モードに前記供給電圧を切り替え可能な、前記供給モジュールをスイッチングするスイッチング手段と、
前記スイッチング手段と、前記供給モジュールに電流を送出する送出手段と、前記送出される電流のレベルを変位させる変位手段とを備え、前記供給モジュールと通信する通信手段と、
から構成される給電装置であって、
前記通信手段は、前記電流の変位を介し少なくとも前記スタンバイモードから前記通常モードへの前記供給電圧の切り替えを制御することが可能であることを特徴とする装置。
【請求項２】
請求項１記載の給電装置であって、
前記変位手段は、好ましくは非ゼロ復帰により修正された電流スパイクの形式により、電流スパイクを生成するよう構成されることを特徴とする装置。
【請求項３】
請求項２記載の給電装置であって、
前記変位手段は、好ましくは接合電界効果トランジスタを備え、アクティブ状態と非アクティブ状態を有する電流ソースを有することを特徴とする装置。
【請求項４】
請求項１乃至３何れか一項記載の給電装置であって、さらに、
好ましくは赤外線レシーバを備え、ユーザにより送出された起動信号を検知する検知手段と、
前記検知手段により起動信号が検出され、前記供給モジュールが前記スタンバイモードにあるとき、前記スタンバイモードから前記通常モードへの前記供給モジュールの切り替えが可能となるよう前記スイッチング手段をトリガーするトリガー手段と、
を有することを特徴とする装置。
【請求項５】
請求項１乃至４何れか一項記載の給電装置であって、
前記スイッチング手段はさらに、前記通常モードから前記スタンバイモードに前記供給電圧を切り替え可能であることを特徴とする装置。
【請求項６】
請求項１乃至５何れか一項記載の給電装置であって、
前記供給モジュールは、前記スタンバイモードに対し、第１低電圧レベルと、該第１低電圧レベルより低い第２低電圧レベルにそれぞれ関連付けされるシンプル・スタンバイモードとエコノミカル・スタンバイモードを有し、
前記スイッチング手段は、少なくとも前記エコノミカル・スタンバイモード及び前記シンプル・スタンバイモードから前記通常モードに前記供給電圧を切り替え可能であり、
前記起動手段は、第１機能に関して前記通常モードでは動作状態に、前記スタンバイモードでは非動作状態になるように、第２機能に関して前記通常モード及び前記シンプル・スタンバイモードでは動作状態に、前記エコノミカル・スタンバイモードでは非動作状態になるように構成される、
ことを特徴とする装置。
【請求項７】
請求項１乃至６何れか一項記載の給電装置であって、さらに、
通信ネットワークから少なくとも１つのデータストリームを受信する受信手段と、
受信したデータストリームに基づき制御情報を抽出する抽出手段と、
を有し、
前記通信手段は、前記制御情報を前記供給モジュールに送信するよう構成されることを特徴とする装置。
【請求項８】
請求項７記載の給電装置であって、
前記抽出手段は、受信した時間テーブルからスケジューリング情報を抽出するよう構成され、
前記スケジューリング情報は、時間初期化を実行すること可能にする、
ことを特徴とする装置。
【請求項９】
請求項７または８記載の給電装置であって、
前記抽出手段は、前記供給モジュールが前記スタンバイモードにあるとき、少なくとも前記低電圧レベルの１つに係る前記スタンバイモードの１つから、該低電圧レベルより高い電圧レベルに係る前記モードの他の１つへの前記供給モジュールの一時的切り替えを行うための予想される指示を抽出するよう構成されることを特徴とする装置。
【請求項１０】
請求項１乃至９何れか一項記載の給電装置であって、
当該装置は、テレビ、レシーバ／デコーダボックス、ＤＶＤプレーヤーまたはハイファイレシーバに設けられることを特徴とする装置。
【請求項１１】
電源から供給電力を受付ける受付手段と、
前記供給電力を少なくとも１つの給電装置のための供給電圧に変換する変換手段と、
前記供給電圧を前記給電装置に送出する送出手段と、
通常モードによる高電圧レベルとスタンバイモードによる少なくとも１つの低電圧レベルとの間で前記供給電圧を切り替えることが可能な前記送出手段を切り替えるスイッチング手段と、
レベル変位された電流を受付ける受付手段と、前記受付けた電流に基づき情報を抽出する抽出手段とを有し、前記給電装置と通信する通信手段と、
から構成される供給モジュールであって、
前記通信手段は、前記レベル変位を介し少なくとも前記スタンバイモードから前記通常モードへの切り替えを行う指示を前記スイッチング手段に送信可能であることを特徴とするモジュール。
【請求項１２】
請求項１１記載の供給モジュールであって、
前記スイッチング手段は、前記通常モード、シンプル・スタンバイモード及びエコノミカル・スタンバイモードとの間の切り替えを行うことが可能であり、
前記シンプル・スタンバイモードは、前記低電圧レベルの第１低電圧レベルに係るスタンバイモードであり、
前記エコノミカル・スタンバイモードは、前記第１電圧レベルより低い第２低電圧レベルに係るスタンバイモードである、
ことを特徴とするモジュール。
【請求項１３】
請求項１１または１２記載の供給モジュールであって、さらに、
当該供給モジュールが前記スタンバイモードにあるとき、前記低電圧レベルの１つに係る前記スタンバイモードの１つから、該低電圧レベルより高い電圧レベルに係る前記モードの他の１つへの一時的切り替えを同期制御する制御手段を有することを特徴とするモジュール。
【請求項１４】
請求項１３記載の供給モジュールであって、
前記通信手段は、前記スタンバイモードから前記他の１つのモードへの一時的切り替えのための予想される指示を受信及び抽出するよう構成され、
当該供給モジュールはさらに、前記指示を格納領域に記録する記録手段を有する、
ことを特徴とするモジュール。
【請求項１５】
請求項１３または１４記載の供給モジュールであって、
前記通信手段は、時間初期化を実行可能にするスケジューリング情報の受信及び抽出を行うよう構成され、
当該供給モジュールは、前記スケジューリング情報に基づき時間初期化を実行する実行手段を有する、
ことを特徴とするモジュール。
【請求項１６】
請求項１３乃至１５何れか一項記載の供給モジュールであって、さらに、
好ましくは位相同期ループを備え、前記供給電力に同期させる同期手段を有することを特徴とするモジュール。
【発明の詳細な説明】
【技術分野】
【０００１】
本発明は、給電装置、供給モジュール及び対応する電力供給デバイスに関する。
【背景技術】
【０００２】
ＤＶＤ（Ｄｉｇｉｔａｌ  Ｖｅｒｓａｔｉｌｅ  Ｄｉｓｃ）プレーヤー／プレーヤー・レコーダ、ＳＴＢ（Ｓｅｔ−Ｔｏｐ  Ｂｏｘ）などのレシーバ／デコーダボックス、Ｈｉ−Ｆｉ（Ｈｉｇｈ  Ｆｉｄｅｌｉｔｙ）レシーバ、ビデオレコーダなどのオーディオビジュアルデジタル処理装置は、家庭において常に存在するパーツとなりつつある。家庭に２台のテレビ、ビデオレコーダ、ＳＴＢ、ＤＶＤプレーヤー及びＨｉ−Ｆｉレシーバが存在することは珍しくはない。
【０００３】
このような各種装置は多数のエネルギー消費要素として構成されるが、電力供給ネットワークから切断はされていない。このため、メイン装置に接続される装置数が増加するに際し、エネルギーを節約することがより重要となりつつある。このため、デジタル装置は、上記観点からの推奨に従う実現形態を備えることにより効果が得られる。特に、各々が異なる電力消費を備えている、実際の動作中における通常モードと、不使用時の１以上のスタンバイモードの２つの装置動作状態に区別される。
【０００４】
関連する推奨は、エネルギー消費の少ない順に列挙された以下のような複数のスタンバイモードを特定している。
・通常モード（使用量の少ない）と同量のエネルギーを消費するフォース・スタンバイ
・不使用時のリモコンからの起動指示を待機するトゥルー・スタンバイ
・ユーザによる装置アイテムのボタンの押下、または当該装置アイテムのスイッチオフ及び以降のスイッチオンによってのみ起動可能なエコノミカル・スタンバイ（当該モードでは、中央ユニットの動作は利用可能でなく、リモコンによる起動のためのハードウェアアイテムは設けられていない。他方、リモコンにより当該エコノミカル・スタンバイモードをトリガーすることが可能である）
例えば、ケーブル放送用のＳＴＢは、従来フォース・スタンバイ、トゥルー・スタンバイ及びエコノミカル・スタンバイの各モードにそれぞれ１０Ｗ、６Ｗ及び４Ｗの電力を消費していた。実際には、電力を低く抑制するためには、デジタル装置の電子機能の大部分のアクティブ解除が必要となる。
【０００５】
エコノミカル・スタンバイモードは、エネルギーの節約に最も効果的であるが、ユーザが装置を再び手動によりオンするためには、自ら移動する必要がある。
【０００６】
米国特許第６０８５０１７号は、電流供給用の特定回路を利用した家電機器のエネルギー節約技術を開示している。この回路は、通常モード、スタンバイモード及びエコノミカルモードの３つの動作モードを備え、これら動作モードの何れかを選択することにより、リモコン信号に応答可能なレシーバを有する。
【０００７】
エコノミカルモードでは、リモコンレシーバと起動用フィルタのみに電圧が供給される。フィルタが当該装置に割当てられたコードの受信を検出した場合、マイクロプロセッサによる供給回路の監視を起動し、これにより、通常モードへの切り替えが可能となる。
【０００８】
上記技術は、エコノミカル・スタンバイモードを可能にしながら、エコノミカル・スタンバイモードから通常モードへの装置切り替えのリモート起動を可能にする。
【０００９】
しかしながら、装置がメインに接続されているにもかかわらず、従来の細分化された供給がエコノミカル・スタンバイでは優れた効率性を有していないという事実を考慮して、バッテリがマイクロプロセッサに供給するエネルギー源として必要となるという欠点がある。より詳細には、このような供給は複数の電圧レベルを有し、無視できない損失を有する変換器を必要とする。
【００１０】
さらに、長期間メインに接続していないときには、もしバッテリが切れていた場合、装置を再スタートすることはできない。上記技術の利用に関する仮定は、このような未接続が長期になり過ぎないということであり、これにより、バッテリを十分な電圧に維持することが可能となる。しかしながら、このようなケースが常に満たされるとは限らない。
【発明の開示】
【発明が解決しようとする課題】
【００１１】
本発明の課題は、通常モードと少なくとも１つのスタンバイモードを有し、スタンバイモードでの極めて少ないエネルギー消費を可能にしながら、スタンバイモードから通常モードの遠隔起動を可能にするのに適した給電装置を提供することである。本発明による給電装置は、バッテリを必要とせず、長期間未接続であった後にも電源オンを可能にするよう実現される。このため、本発明の給電装置は、実質的なエネルギー消費の節約を可能にする。
【００１２】
本発明の他の課題は、上記給電装置に対応し、上述の効果を有する供給モジュールを提供することである。
【００１３】
本発明は、特にデジタルオーディオビジュアル機器に適用される。
【課題を解決するための手段】
【００１４】
上記課題を解決するため、本発明による給電装置は、供給電力を受け取り、通常モードでは高電圧レベルにより、スタンバイモードでは少なくとも１つの低電圧レベルにより供給電圧を提供可能な供給モジュールから、前記供給電圧を受け取る受付手段と、当該装置の少なくとも１つの機能を起動し、前記通常モードでは動作状態に、前記スタンバイモードでは非動作状態になるよう構成される起動手段と、少なくとも前記スタンバイモードから前記通常モードに前記供給電圧を切り替え可能な、前記供給モジュールをスイッチングするスイッチング手段と、前記スイッチング手段と、前記供給モジュールに電流を送出する送出手段と、前記送出される電流のレベルを変位させる変位手段とを備え、前記供給モジュールと通信する通信手段とから構成される給電装置であって、前記通信手段は、前記電流の変位を介し少なくとも前記スタンバイモードから前記通常モードへの前記供給電圧の切り替えを制御することが可能であることを特徴とする。
【００１５】
本発明によると、特にスタンバイモードから通常モードへの切り替えのトリガー処理が、従来技術に対して顕著な特徴を備えている。すなわち、当該処理は、レベルの変位により情報のキャリアとなる電流の給電（供給モジュール）の要部との通信に拠るものである。供給モジュールは、スタンバイモードから通常モードへの切り替えを行うため、供給電圧を変更することによって、電流により受付けた上記通信に応答することが可能である。
【００１６】
供給モジュールから給電装置への通信は、供給電圧により行われる。このため、二重の交換手順が、一方向においては電流、他方向では電圧により規定される。
【００１７】
本装置は、供給モジュールへの電流の放出とその変位のみで実現されるため、わずかなエネルギーしか必要としない。また上記エネルギー節約効果は、ユーザによる面倒な処理を必要とすることなく実現可能である。具体的には、電流の放出は、リモコン信号の利用を可能とし、ユーザは自ら移動することなくスタンバイモードから通常モードへの切り替えを行うことが可能である。
【００１８】
給電装置と供給モジュールとの相違点は、機能面から理解される必要がある。この意味おいて、本発明は独立に実現される物理的に異なる２つのエンティティを有する装置だけでなく、２つのエンティティが一体化された１つの装置をカバーすることも可能である。
【００１９】
しかしながら、供給モジュールと給電装置とが分離した実施例が、特に有用である。具体的には、このようなモジュールの固有のロスは、これらの出力がロードされていないとき、極めて小さなものとなるかもしれない。このようなモジュールは特に、ロードされていない出力による典型的なエネルギーロスが０．５Ｗのオーダとなる直流（ＤＣ）ウォールユニットから構成されてもよい。
【００２０】
独立した供給モジュールは、好ましくは、スタンバイモードにおいてさえ当該モジュールによるコンピュータリソースの使用を可能にする低コストかつ省電力な中央ユニットを有する。この中央ユニットは、スタンバイモードにおいて給電装置の起動を決定するため、給電装置からのリモコン信号の受付に関する情報を効果的に処理することが可能である。
【００２１】
本説明において、「通常モード」と「スタンバイモードの」という表現は、供給モジュール、給電装置及び給電機器（当該モジュール及び装置を有する）に関して、供給モジュールの動作状態が他の２つのエンティティの動作状態を決定する限りにおいて、相互に利用される。
【００２２】
本発明による給電装置は、その好適な実施例において以下の効果を提供することが可能である。すなわち、
・スタンバイモードにおける供給モジュールと給電装置との間のエネルギー送出のためのインタフェースの非アクティブ状態、あるいは追加的なハードウェアによる給電機器（給電装置と供給モジュールを有する）のエネルギーロスの減少（実際、本発明の装置により得られるスタンバイモードは、リモコンによる起動を可能にしながら、既存のエコノミカル・スタンバイモードに関してスタンバイモードの３のファクタだけ減少するかもしれない）
・機能動作に必要な電圧がもはや存在しない場合には、スタンバイモードによる機器の機能の自動アクティブ解除
・リモコンレシーバを動作可能にするのに十分な給電装置の低レベルの供給電圧の可能性（典型的には、赤外線レシーバでは、５ｍＡ未満の電流レベルには３．３Ｖの電圧が必要とされる）
効果的には、変位手段は、好ましくはＮＲＺ（Ｎｏｎ  Ｒｅｔｕｒｎ  ｔｏ  Ｚｅｒｏ）と呼ばれる非ゼロ復帰による修正された電流スパイクの形式による電流スパイクを生成するよう構成される。このとき、変位手段はアクティブ状態と非アクティブ状態を有する電流ソースを有することが好ましく、当該ソースはＪＦＥＴと呼ばれる接合電界効果トランジスタを有することが好ましい。
【００２３】
修正されたスパイクを利用することは、特に実践的であり、通常モードとスタンバイモードにおいて１つずつの電流のベース値とは独立に、メッセージを効率的に送信することを可能にする。
【００２４】
さらに、本装置は、好ましくは赤外線レシーバを備え、ユーザにより送出された起動信号を検知する検知手段と、前記検知手段により起動信号が検出され、前記供給モジュールが前記スタンバイモードにあるとき、前記スタンバイモードから前記通常モードへの前記供給モジュールの切り替えが可能となるよう前記スイッチング手段をトリガーするトリガー手段とを有する。
【００２５】
前記スイッチング手段は、スタンバイモードから通常モードに供給電圧を切り替えるよう構成されるだけでなく、通常モードからスタンバイモードに供給電圧を切り替え可能であることが好ましい。
【００２６】
当該給電装置によると、供給モジュール（すなわち、給電機器全体）をスタンバイモードに配置することが可能である。ユーザが当該機能及び起動機能をリモート制御することが可能である場合、ユーザが所望するときに、当該機器をスタンバイモードにしたり、リモートによりそれを再起動することが可能になる。
【００２７】
この好適な実施例の一変形では、供給モジュールをスタンバイにすることは、通常モードを要する装置の機能の何れもが使用されていない所定の期間の後（遅延期間）、スイッチング手段により自動的にトリガーされる。
【００２８】
他の実施例によると、通常モードからスタンバイモードへの自動的な切り替えは、遅延期間後の供給モジュールのレベルにより制御及びトリガーされる（本実施例は、スイッチング手段を介し給電装置によりスタンバイに配置するユーザ機能に効果的に関係する）。
【００２９】
一変形（上記と組み合わされた）では、供給モジュールは、問題が検出された場合（電圧超過など）、スタンバイに配置する機能を有する。
【００３０】
給電装置は、複数のスタンバイレベルを有するようにしてもよい。好適な実施例では、供給モジュールは、前記スタンバイモードに対し、第１低電圧レベルと、該第１低電圧レベルより低い第２低電圧レベルにそれぞれ関連付けされるシンプル・スタンバイモードとエコノミカル・スタンバイモードを有し、前記スイッチング手段は、少なくとも前記エコノミカル・スタンバイモード及び前記シンプル・スタンバイモードから前記通常モードに前記供給電圧を切り替え可能であり、前記起動手段は、第１機能に関して前記通常モードでは動作状態に、前記スタンバイモードでは非動作状態になるように、第２機能に関して前記通常モード及び前記シンプル・スタンバイモードでは動作状態に、前記エコノミカル・スタンバイモードでは非動作状態になるように構成される。
【００３１】
好ましくは、スイッチング手段はさらに、エコノミカル・スタンバイモードからシンプル・スタンバイモードへの供給電圧の切り替えが可能である。このため、装置を完全に起動することなく、第２機能を利用することが可能となり、エネルギーの節約を実現できる。効果的には、スイッチング手段は、可能とされる各種手順に従って、消費に関して下位方向に動作状態の変更を行うことが可能である。
【００３２】
シンプル・スタンバイとエコノミカル・スタンバイの効果的な実施例によると、これら２つの機能は、通信ネットワークからの更新データの受付と、給電機器にローカルな当該データの更新による利用を含む。これらは、好ましくはソフトウェア及び／または限定受信資格に関するものである。実際、上記処理を実行するのに一般には部分的な起動で十分であるが、受付インタフェースがアクティブ状態となる必要があることがわかる。
【００３３】
好適な実施例では、給電装置は、通信ネットワークから少なくとも１つのデータストリームを受信する受信手段と、受信したデータストリームに基づき制御情報を抽出する抽出手段とを有し、前記通信手段は、前記制御情報を前記供給モジュールに送信するよう構成される。
【００３４】
従って、給電機器に関する手順は、通信ネットワークを介しリモートに受信した情報または指示に基づき決定されてもよい。
【００３５】
抽出手段の第１形態によると、前記抽出手段は、受信した時間テーブルからスケジューリング情報を抽出するよう構成され、前記スケジューリング情報は、時間初期化を実行すること可能にする。
【００３６】
このように、給電処理は、通信ネットワークを介し受信されるデータ（特に、オーディオビジュアルデータ）の時間的進捗により同期することが可能である。
【００３７】
抽出手段の第２形態によると（第１形態と組み合わせることが効果的である）、前記抽出手段は、前記供給モジュールが前記スタンバイモードにあるとき、少なくとも前記低電圧レベルの１つに係る前記スタンバイモードの１つから、該低電圧レベルより高い電圧レベルに係る前記モードの他の１つへの前記供給モジュールの一時的切り替えを行うための予想される指示を抽出するよう構成される。
【００３８】
従って、起動の上位への動きを可能にするということが問題となる（特に、通常モード、シンプル・スタンバイ及びエコノミカル・スタンバイが存在する場合、エコノミカル・スタンバイからシンプル・スタンバイ及び／または通常モードへの切り替え、及び／またはシンプル・スタンバイから通常モードへの切り替え）。
【００３９】
通信ネットワークを介し起動時間（部分的または完全）を制御する機能は、特にソフトウェアや限定受信の更新のためのダウンロードの場合に有用である。具体的には、一時的切り替えの予想される指示は、オペレータや放送局がダウンロードの実行時間のタイムスロットを規定し、それを通信ネットワークを介しユーザに送信することを可能にする。このとき、給電装置は当該指示を抽出し、以降の適切な時点における記録及び利用のため、それらを供給モジュールに送信することが可能である。
【００４０】
抽出された指示は、事前に実行コマンドとして構成される必要はないが、上位のスタンバイレベルへの切り替えのため、給電機器のレベルでの実際の支持として利用されるダウンロードスケジュールに関する情報を形式をとるようにしてもよい。
【００４１】
給電装置は、テレビ、レシーバ／デコーダボックス、ＤＶＤプレーヤーまたはハイファイレシーバに設けられる。
【００４２】
本発明はまた、電源から供給電力を受付ける受付手段と、前記供給電力を少なくとも１つの給電装置のための供給電圧に変換する変換手段と、前記供給電圧を前記給電装置に送出する送出手段と、通常モードによる高電圧レベルとスタンバイモードによる少なくとも１つの低電圧レベルとの間で前記供給電圧を切り替えることが可能な前記送出手段を切り替えるスイッチング手段と、レベル変位された電流を受付ける受付手段と、前記受付けた電流に基づき情報を抽出する抽出手段とを有し、前記給電装置と通信する通信手段と、
から構成される供給モジュールであって、前記通信手段は、前記レベル変位を介し少なくとも前記スタンバイモードから前記通常モードへの切り替えを行う指示を前記スイッチング手段に送信可能であることを特徴とする。
【００４３】
さらに、供給モジュールは、好ましくは本発明の実施例の何れかによる給電装置と共に利用される。
【００４４】
受付けられた電流に基づき情報を抽出する抽出手段は、電流消費表示を有し、レベル変位の検出を可能とするようにしてもよい。
【００４５】
好ましくは、前記スイッチング手段は、前記通常モード、シンプル・スタンバイモード及びエコノミカル・スタンバイモードとの間の切り替えを行うことが可能であり、前記シンプル・スタンバイモードは、前記低電圧レベルの第１低電圧レベルに係るスタンバイモードであり、前記エコノミカル・スタンバイモードは、前記第１電圧レベルより低い第２低電圧レベルに係るスタンバイモードである。
【００４６】
さらに、供給モジュールは好ましくは、当該供給モジュールが前記スタンバイモードにあるとき、前記低電圧レベルの１つに係る前記スタンバイモードの１つから、該低電圧レベルより高い電圧レベルに係る前記モードの他の１つへの一時的切り替えを同期制御する制御手段を有する。
【００４７】
「同期」という表現は、所与の基準スケジュールに関する同期を意味するものとする。
【００４８】
同期制御に関する第１の効果的な実施例によると、前記通信手段は、前記スタンバイモードから前記他の１つのモードへの一時的切り替えのための予想される指示を受信及び抽出するよう構成され、当該供給モジュールはさらに、前記指示を格納領域に記録する記録手段を有する。
【００４９】
同期制御に関する第２の効果的な実施例によると（好ましくは、第１実施例と組み合わされる）、前記通信手段は、時間初期化を実行可能にするスケジューリング情報の受信及び抽出を行うよう構成され、当該供給モジュールは、前記スケジューリング情報に基づき時間初期化を実行する実行手段を有する。
【００５０】
さらに、供給モジュールは、好ましくは位相同期ループ（ＰＬＬ）を備え、前記供給電力に同期させる同期手段を有する。
【００５１】
供給電力によりローカルスケジュールをレジスタに設定することにより、当該供給が欧州では５０Ｈｚの周波数の交流電流により行われる限り、シンプルかつ効果的な同期手段を提供することができる。
【発明の効果】
【００５２】
本発明によると、通常モードと少なくとも１つのスタンバイモードを有し、スタンバイモードでの極めて少ないエネルギー消費を可能にしながら、スタンバイモードから通常モードの遠隔起動を可能にするのに適した給電装置を提供することができる。本発明による給電装置は、バッテリを必要とせず、長期間未接続であった後にも電源オンを可能にするよう実現される。このため、本発明の給電装置は、実質的なエネルギー消費の節約を可能にする。さらに本発明によると、上記給電装置に対応し、上述の効果を有する供給モジュールを提供することができる。
【発明を実施するための最良の形態】
【００５３】
図２及び３において、図示されるモジュールは、物理的に区別することが可能なユニットに対応していないかもしれない機能ユニットである。例えば、これらのモジュールまたはその一部は、単一のグループにグループ化されるかもしれないし、あるいは同一のソフトウェアのいくつかの機能から構成されるかもしれない。他方、あるモジュールは個別の物理的エンティティから構成されるかもしれない。
【００５４】
給電機器５（図１）は、ＳＴＢなどの給電装置１と当該給電装置１のための供給モジュール２から構成される。
【００５５】
モジュール２は、メインに接続され、特に欧州では５０Ｈｚで２３０Ｖの交流電圧を算用した供給電力Ｐ−ＡＬＩＭを受け取るよう構成される。
【００５６】
モジュール２の機能は、供給電力Ｐ−ＡＬＩＭに基づき生成される連続的な供給電圧Ｖ−ＡＬＩＭを給電装置１に送出することである。機器５の動作状態に応じて、通常モードの高電圧Ｖ０（ノミナル電圧）、シンプル・スタンバイモードのＶ０より低い電圧Ｖ１、及びエコノミカル・スタンバイモードのＶ１より低い電圧Ｖ２の異なる３種類の電圧レベルが可能である。機器５のエネルギー消費は、それの現在の動作状態に基づき、通常モード、シンプル・スタンバイモード及びエコノミカル・スタンバイモードのそれぞれに対するエネルギー消費Ｐ０、Ｐ１及びＰ２（矩形４０、４１及び４２）に等しいモード（横軸４５）の関数としてのエネルギー消費Ｐ（縦軸４６）を導く（図４）。
【００５７】
装置１は、モジュール２に情報及び指示を送信することが可能な通信電流Ｉ−ＣＯＭをモジュール２と通信するよう構成される。
【００５８】
より詳細には、装置１（図２）は、供給電圧Ｖ−ＡＬＩＭを受け取るユニット１１と、装置１の各機能Ｆ１、Ｆ２、Ｆ３及びＦ４を起動するユニット１２とから構成される。これらの機能Ｆｉは、通常モードではすべてがアクティブ状態であり、エコノミカル・スタンバイモードではすべてがアクティブ状態ではない。シンプル・スタンバイモードでは、その一部のみが（例えば、Ｆ４など）動作状態を維持する。このケースでは、以下で説明されるように、更新データの受信及び処理のための機能は、シンプル・スタンバイモードでは動作するが、エコノミカル・スタンバイモードでは動作しない。他方、チェーンの選択、相互動作（ＳＴＢに対する）、画面表示（輝度、コントラストなど）や音声調節のための機能は、通常モードのみで動作可能である（一変形では、通常モードはまた更新を必要とする）。
【００５９】
一実施例によると、起動ユニット１２は、高電圧Ｖ０を検出可能なチョッパを有する。すなわち、装置１がスタンバイモードであり、供給電圧Ｖ−ＡＬＩＭがＶ０になると、装置１の起動が指示され、供給電圧Ｖ−ＡＬＩＭがスタンバイ電圧Ｖ１またはＶ２に等しくなると、これらのチョッパは切断を行う。
【００６０】
装置１はまた、通信電流Ｉ−ＣＯＭを確立し、それをモジュール２と通信するよう構成される通信ユニット１３を有する。通信ユニット１３は、電流Ｉ−ＣＯＭを供給モジュール２に送出するユニット１５と、電流Ｉ−ＣＯＭのレベルを変化させるユニット１６を有する。ユニット１６は、情報または指示を供給モジュール２に送信できるように、電流レベルに応じて動作することを可能にする。これを行うため、例えば、交互にアクティブ状態と非アクティブ状態となるＪＦＥＴトランジスタによって、非ゼロ復帰（ＮＲＺ）による修正された電流スパイクが生成される。このとき各スパイクは、ハイ論理レベルを表している。
【００６１】
通信ユニット１３はまた、機器５の各種動作モード間の切り替えを生じさせる機能を有するスイッチングユニット１４を有する。スイッチングユニット１４は、適切な指示を供給モジュール２に送信できるように、レベル可変ユニット１６に対して動作することができる。それはまた、機器５の現在の動作状態を通知するため、または必要とされる状態に既になっているか、そして変更が必要か判断するため、受信ユニット１１にリンクされている。
【００６２】
一変形では、動作状態コマンドが供給モジュール２とシステマチックに通信され、動作状態の関数として切り替えをするか、そのまま維持するか判断される。
【００６３】
上記実施例では、スイッチングユニット１４は、供給モジュール２（すなわち、機器５）を、シンプル・スタンバイモードまたはエコノミカル・スタンバイモードから通常モードに、及び通常モードからエコノミカル・スタンバイモードに切り替えることが可能である。供給モジュール２は、シンプル・スタンバイモードとエコノミカル・スタンバイモードとの間の切り替えを管理する。
【００６４】
装置１はさらに、ユーザによって送信される起動信号Ｓを送信するユニット１７を有する。例えば、それはリモコン信号を検出する赤外線レシーバを有する。この送信ユニット１７は、動作状態の変更指示をスイッチングユニット１４を切り替えるユニット１８に送信する。当該情報送信チェーン（ユニット１７、１８及び１４、そしてその後、ユニット１６及び１５）は、リモコンにより機器５を起動することを可能にする。
【００６５】
レベル可変ユニット１６と送信ユニット１５はまた、予めリモコンパラメータを電流Ｉ−ＣＯＭを介し供給モジュール２に通信するよう構成される。
【００６６】
装置１にはまた、通信ネットワークからのデータストリームＤを受信するユニット１９が設けられる。本例では、通信ネットワークは、ＲＦ、ケーブルまたは衛星ネットワークからなる放送ネットワークである。
【００６７】
一変形では、この通信ネットワークは、ユニキャストまたはマルチキャストネットワークである。例えば、ＳＴＢはＤＳＬ（Ｄｉｇｉｔａｌ  Ｓｕｂｓｃｒｉｂｅｒ  Ｌｉｎｅ）ラインなどの双方向リターンパスを有し、これを介しデータストリームＤを受信する。
【００６８】
抽出ユニット１９´は、受信ユニット１９により受信されたデータストリームＤから制御情報ＣＴＲＬを抽出し、通信電流Ｉ−ＣＯＭを考慮するため、レベル可変ユニット１６と通信するよう構成される。
【００６９】
制御情報ＣＴＲＬは、一時的初期化の実行を可能にし、テンポラルテーブルのデータから抽出されるスケジューリング情報を有する。例えば、ＤＶＢ（Ｄｉｇｉｔａｌ  Ｖｉｄｅｏ  Ｂｒｏａｄｃａｓｔ）規格に従う放送のため、ＴＤＴ（Ｔｉｍｅ  Ｄｅｆｉｎｉｔｉｏｎ  Ｔａｂｌｅ）及びＴＯＴ（Ｔｉｍｅ  Ｏｆｆｓｅｔ  Ｔａｂｌｅ）テーブルが、放送レシーバに送信される。
【００７０】
制御情報ＣＴＲＬはまた、ネットワークオペレータにより規定される、更新データＭＡＪの機器５への以降のダウンロードに関する情報を有する。当該データＭＡＪは、ソフトウェアデータ（典型的には、最新バージョンのアプリケーション）及び／または限定受信データ（典型的には、会員資格の変更）から構成されてもよい。その後、限定受信データは、パーミッション管理メッセージ（またはＥＭＭ（Ｅｎｔｉｔｌｅｍｅｎｔ  Ｍａｎａｇｅｍｅｎｔ  Ｍｅｓｓａｇｅ））及び／または許可制御メッセージ（またはＥＣＭ（Ｅｎｔｉｔｌｅｍｅｎｔ  Ｃｏｎｔｒｏｌ  Ｍｅｓｓａｇｅ））により効果的に搬送される。送信される制御情報ＣＴＲＬは、ダウンロードのためにスケジューリングされたタイムスロットを与え、ダウンロード対象となるデータの性質を指定する。それは特に、定期的な起動の基準を含むものであってもよい。
【００７１】
このタイプの制御情報は、機器５が更新データＭＡＪの受信及び利用を可能にするのに十分な動作状態に供給モジュール２の一時的な切り替え（必要に応じて）に関する予想される指示として、受信ユニット１９と抽出ユニット１９´により保持される。本実施例では、この十分な状態は、シンプル・スタンバイからなる。従って、予想される指示は格納され、以降におけるダウンロードタイムスロット中に利用され、機器５がエコノミカル・スタンバイモードにあるか検証し、そうである場合には、更新データＭＡＪの完全なダウンロードを保証するのに十分な期間だけシンプル・スタンバイモードへの切り替えをトリガーする。
【００７２】
この一時的な切り替え後のエコノミカル・スタンバイへのリターンが、その後に想定される。
【００７３】
更新データＭＡＪの受信及び利用のための機能に対し（例えば、無線周波数の前部をアクティブ化するのに十分なエネルギーレベルを達成するため）、通常モードが要求される一変形では、動作手順は同様のものとなり、エコノミカル・スタンバイモードと通常モードとの間に一時的な切り替えが実行される。
【００７４】
装置１によって供給モジュール２に通信される更新情報は、さらに任意の時点において変更可能である。
【００７５】
カルーセル（ｃａｒｏｕｓｅｌ）として送信される更新データＭＡＪに適用される上述の実施例の一変形では、エコノミカル・スタンバイからシンプル・スタンバイ（または通常モード）への一時的切り替えは、送信スケジュールの以前の通信を必要とすることなく定期的に実行される。その後、供給モジュール２が所定の時間間隔（例えば、夜間に）で定期的に起動される（おそらく部分的に）。さらに、起動スロットの開始時には欠落していた更新データＭＡＪがカルーセルの次の送信中に復元されるか、あるいは、更新データＭＡＪの利用が送信期間の開始時にのみ開始される。
【００７６】
従って、装置１から供給モジュール２への通信は、ある動作状態から他の動作状態への可能な切り替え、あるいは一時的な起動基準（完全または部分的）のモジュール２への転送を管理するため開始される。供給モジュール２から装置１への通信は、給電機器５の動作状態、従って装置１の全体的な動作状態を変更するため開始される。
【００７７】
装置１はさらに、受信した更新データＭＡＪと給電機器５がアクセス可能な格納領域８０に記録されている動作データとを比較するユニット８１を有する。装置１の記録ユニット８２は、更新データＭＡＪが動作データと異なるとき、動作データの代わりに更新データＭＡＪを記録する機能を有する（おそらく部分的に）。好適な実施例では、更新データＭＡＪは、揮発性メモリにロードされ、それのコンシスタンシに関して検証され、その後に不揮発性メモリ（格納領域８０に対応する）にセーブされる。
【００７８】
本実施例では、更新データＭＡＪは、データストリームＤを受信するための受信ユニット１９を介し受信される。しかしながら、両方のタイプのデータが異なる２つの通信ネットワークを介し装置１により受信されることが考えられる。
【００７９】
装置１には、装置１のすべての機能を集中的に管理することを可能にする中央ユニット１０（またはＣＰＵ（Ｃｅｎｔｒａｌ  Ｐｒｏｃｅｓｓｉｎｇ  Ｕｎｉｔ））が設けられる。
【００８０】
供給モジュール２（図３）は、供給電力Ｐ−ＡＬＩＭを受け取るユニット２１、当該電力Ｐ−ＡＬＩＭを供給電圧Ｖ−ＡＬＩＭに変換するユニット２２、及び当該電圧Ｖ−ＡＬＩＭを装置１に送信するユニット２３を有する。供給モジュール２はまた、供給電圧Ｖ−ＡＬＩＭのレベルを変更するため、変換ユニット２２に対し動作可能なスイッチングユニット２４を有する。スイッチングユニット２４は、給電機器５の動作状態の１つを選択することを可能にする（供給電圧Ｖ−ＡＬＩＭに対する通常モード、シンプル・スタンバイ及びエコノミカル・スタンバイは、それぞれＶ０、Ｖ１及びＶ２に等しい）。
【００８１】
供給モジュール２は、装置１から受信ユニット２６を介し通信電流Ｉ−ＣＯＭを受け取り、送信された情報ＩＮＦＯを抽出ユニット２７を介し抽出することが可能な通信ユニット２５を有する。これを実行するため、抽出ユニット２７は、例えば、休止電流を得るため十分有意な期間に当該電流を平均化し、その後に休止電流に関する乖離を特定することによって、電流Ｉ−ＣＯＭのレベルの変動を利用する。抽出された情報ＩＮＦＯは、スイッチングユニット２４に送信される現在の動作状態とは異なる動作状態に切り替える指示（起動またはスタンバイ）、少なくとも部分的な一時的起動の予想される指示（上述の実施例では、エコノミカル・スタンバイモードからシンプル・スタンバイモードへの切り替え、その後のエコノミカル・スタンバイモードへの切り替え）、及び一時的初期化のためのスケジューリング情報を有する。
【００８２】
供給モジュール２はまた、装置１から通信ユニット２５を介し受信される初期化スケジューリング情報に基づく一時的初期化のためのユニット３１、装置１から通信ユニット２５を介し受信される予想される一時的起動指示を供給モジュール２がアクセス可能な格納領域３０に記録するユニット２９と（本例では、当該格納領域３０は、供給モジュール２の内部コンポーネントである）、例えば、欧州では５０Ｈｚの供給周波数にロックされた時間クロックとシステムクロックを生成する位相同期ループ（ＰＬＬ）を有し、供給電力Ｐ−ＡＬＩＭと同期させるユニット３２と、時間に関して時間初期化ユニット３１にラッチされ、同期ユニット３２により同期され、予想される一時的切り替え指示が格納される格納領域３０または通信ユニット２５から直接的に当該指示を受け取り、スイッチングユニット２４に対し動作して各種動作状態間の切り替えの同期制御を行うユニット２８とを有する・
供給モジュール２には、集中的に供給モジュール２のすべての機能を管理可能な中央ユニット２０が設けられる。
【００８３】
物理的に独立したモジュールＣＣ（ＤＣパック）からなる実施例２Ａ（図５）に関して、供給モジュール２が詳細に説明される。モジュール２Ａの構成は、動作状態間の切り替え（ユニット２４）、通信電流Ｉ−ＣＯＭから抽出された情報ＩＮＦＯの解釈（一部はユニット２７）、情報ＩＮＦＯの一部の格納領域３０Ａへの記録（ユニット２９）の各機能を一体化した中央ユニット２０Ａと、供給電力Ｐ−ＡＬＩＭに基づき必要とされる時間クロック及びシステムクロックを生成するよう構成された位相同期ループ３８（同期ユニット３２に対応する）と、格納領域３０Ａに格納されている予想される一時的起動指示によって規定される適切な時点において給電機器５のスタンバイに関する配置および起動（おそらく部分的）をトリガー可能な内部クロックに用いられるタイマ３９と、交流供給電力Ｐ−ＡＬＩＭを受け取り（ユニット２１）、中央ユニット２０Ａの内部コンポーネントに供給するための低ＤＣ電圧Ｖ−ＣＰＵと共に、供給電圧Ｖ−ＡＬＩＭを取得するのに用いられるＤＣ基準電圧Ｖ−ＲＥＦに変換し（一部はユニット２２）、さらに同期に利用する供給周波数Ｆ（例えば、欧州では５０Ｈｚ）をループ３８に提供するよう構成される供給電力インタフェース３５と、中央ユニット２０Ａからの動作状態を選択するための指示を考慮しながら、基準電圧Ｖ−ＲＥＦに基づき供給電圧Ｖ−ＡＬＩＭを生成し（一部はユニット２２）、通信電流Ｉ−ＣＯＭを受け取り（ユニット２６）、電流Ｉ−ＣＯＮＳの消費表示をフォーマット化ユニット３７に提供する（一部はユニット２７）機能を有するＤＣ供給インタフェース３６と、表示Ｉ−ＣＯＮＳを中央ユニット２０Ａが理解可能なフォーマットにフォーマット化し（一部はユニット２７）、電流スパイクＮＲＺの形で装置１により送出される情報メッセージＩＮＦＯを理解可能にするためのフォーマット化ユニット３７と、フォーマット化ユニット３７から受信したメッセージを解釈し、これらのメッセージの関数として処理を実行するためのコード、抽出された情報ＩＮＦＯを通じて取得されるリモコンパラメータ及び一時的起動基準を記録するための格納領域３０Ａとから構成され、格納領域３０Ａは、情報ＩＮＦＯから導出されたパラメータ及び基準を記録するためのＲＡＭ（Ｒａｎｄｏｍ  Ａｃｃｅｓｓ  Ｍｅｍｏｒｙ）と解釈コードを記録するためのＲＯＭ（Ｒｅａｄ  Ｏｎｌｙ  Ｍｅｍｏｒｙ）とから構成される。
【００８４】
動作中（図６）、上述の給電機器５は、時間に関して（軸４８）供給電圧Ｖ−ＡＬＩＭ（軸５０）と通信電流Ｉ−ＣＯＭ（軸６０）に従い変動する。
【００８５】
まず、給電機器５（すなわち、供給モジュール２）がメインに接続されると、電流Ｉ−ＣＯＭ（領域６１）に従って、電圧Ｖ−ＡＬＩＭはゆっくりと上昇する（領域５１）。装置１はまず、エコノミカル・スタンバイにおかれ（電圧については電圧Ｖ２に関する領域５２と、電流については領域６２）、その後に電圧Ｖ−ＡＬＩＭをＶ０まで引き上げることにより起動される（電圧に関しては上昇領域５３と安定領域５４、電流に関しては上昇領域６３と安定領域６４）。
【００８６】
給電機器５の起動後、装置１は、配信することにより送信されたデジタルストリームに基づき起動基準を回復し、それを電流Ｉ−ＣＯＭにより供給モジュール２に送信する（電流については、通信６４−ＣＲＩの隆起）。
【００８７】
通常モードでは、装置１により受け取られる任意の赤外線コマンドは、供給モジュール２に送信される（処理後）。本実施例では、リモコン上のスタンバイキーが押下され、エコノミカル・スタンバイにするための指示を供給モジュール２に送信する（電流については、通信６４−ＭＶＥの隆起）。その後、供給モジュール２は、エコノミカル・スタンバイのため供給電圧Ｖ−ＡＬＩＭをＶ０まで引き下げる（低下領域５５と安定領域５６、電流に関してはそれぞれ低下領域６５と安定領域６６）。この電圧の引き下げは、装置１がデータ（例えば、直近に視聴された番組及びチップカードのアクティブ解除など）の緊急のバックアップを実行するのを可能にするのだけの十分ゆっくりとしたものである（このことは、スケールに関しては図６に示されていないが）。
【００８８】
エコノミカル・スタンバイモードになると、赤外線コマンドは、供給モジュール２の中央ユニット２０Ａに送信され続ける。本実施例では、リモコン上の起動キーが押下され、起動指示が供給モジュール２に送信される（通信６６−ＭＮの隆起）。その後、供給モジュール２は、装置１が通常モードに戻るように、供給電圧Ｖ−ＡＬＩＭを通常モードのＶ０に引き上げる（電流についての上昇領域６７と安定領域６８にそれぞれ対応する上昇領域５７と安定領域５８）。
【００８９】
予め記録された部分起動指示による夜間の動作中（図７）、給電機器５は、更新ダウンロードの実行が可能となるように、エコノミカル・スタンバイ（電圧Ｖ２）からシンプル・スタンバイ（電圧Ｖ１）に自動的に切り替えを行う。この更新ダウンロードは、平均的にユーザはこの時間には装置１を操作していない傾向から、夜間にスケジューリングされる。部分起動の予想される指示は、供給モジュール２により利用される。
【００９０】
夜間に行われるエコノミカル起動の時間後（安定レベル７１が夜間ＤＮに入る）、供給モジュール２は、スケジューリングされた時点に供給電圧Ｖ−ＡＬＩＭをシンプル・スタンバイのＶ１まで引き上げる（安定レベル７２）。このシンプル・スタンバイ期間中、装置１は新たなソフトウェアの更新を回復しようとする。その後、格納領域３０Ａに記録されている指示に従って、供給モジュール２は、供給電圧Ｖ−ＡＬＩＭをそれのエコノミカル・スタンバイの値に引き下げる（安定レベル７３）。以降において、新しい所定の部分起動により、同様の状態の下で装置１が限定受信資格の更新を回復し（安定レベル７４）、供給モジュール２は、エコノミカル・スタンバイ電圧Ｖ２に変動される（安定レベル７５）。
【００９１】
日中には（日中期間ＤＪ）、ユーザはリモコンを介し給電機器５の起動を要求し、エコノミカル・スタンバイから通常モードへの切り替えが行われる（上昇領域７６と電圧Ｖ０における高位安定レベル７７）
エコノミカル・スタンバイモードでの給電機器５のトータルのエネルギー消費は、典型的な数値例として以下のように概算することができる。
【００９２】
供給モジュール２では、中央ユニット２０Ａが３．３Ｖの電圧で動作し、５０ｍＡの電流を消費することにより、０．１６５Ｗ（３．３×０．０５）の電力が消費されると予想される。このため、０．５Ｗのオーダで供給モジュール２の固有のロスが追加される必要がある。４０％の効率性のため（従来レート）、供給モジュール２の消費は０．９１Ｗ（０．５＋０．１６５×１００／４０）まで引き上げられる。
【００９３】
装置１は、赤外線レシーバの利用に実質的に関連するエネルギーロスを生じさせる。典型的には、赤外線レシーバは３．３Ｖの電圧を必要とし、５ｍＡ未満の電流を消費する。このため、係る電力ロスは、０．０１６Ｗ（３．３×０．００５）と推定される。
【００９４】
従って、他の消費要素を考慮して、エコノミカル・スタンバイにおける給電機器５によって消費されるトータルの電力は、１．５Ｗ未満と推定され、このことは従来のエコノミカル・スタンバイモードと比較して大きな向上を示すものとなる（典型的には、３のオーダの係数による）。
【図面の簡単な説明】
【００９５】
【図１】図１は、給電機器と供給モジュールを含む本発明による電力供給装置の基本図である。
【図２】図２は、図１の給電装置を示すブロック図である。
【図３】図３は、図１の供給モジュールを示すブロック図である。
【図４】図４は、動作状態に応じた図１の機器の３つのエネルギー消費レベル（通常モード、シンプル・スタンバイ、エコノミカル・スタンバイ）を示す。
【図５】図５は、図３の供給モジュールの一実施例を示す。
【図６】図６は、通常モードとエコノミカル・スタンバイモードとの間の連続的な切り替えにおける図２の装置の時間に関する供給電圧の変化を示す。
【図７】図７は、図１の機器への更新データのダウンロードのための自動起動中における図２の装置の時間に関する供給電圧の変化を示す。
【符号の説明】
【００９６】
１  給電装置
２  供給モジュール
５  給電機器
１１  電圧受付ユニット
１２  機能起動ユニット
１３  通信ユニット
１４  スイッチングユニット
１５  送出ユニット
１６  変位ユニット
２０  ＣＰＵ
３０  格納領域
３８  位相同期ループ
３９  タイマ
【図１】
2006134325.tif 000003
【図２】
2006134325.tif 000004
【図３】
2006134325.tif 000005
【図４】
2006134325.tif 000006
【図５】
2006134325.tif 000007
【図６】
2006134325.tif 000008
【図７】
2006134325.tif 000009